(57)【要約】【課題】押圧操作により透明電極が破壊されるおそれのあるタッチパネルの周縁部を、装置筐体に設けた開口部の周縁で覆うと、装置筐体の表面とタッチパネルの表面とに段差が生じるため、その段差部分に塵や埃等のゴミが溜まって汚れてしまうと共に、装置全体の見栄えが悪いという課題がある。【解決手段】開口部２３を設けたカメラケース２と、開口部２３に表示面４ａを臨ませて配置された液晶パネル４と、液晶パネル４の表示面４ａに配置されると共に押圧操作されることにより少なくとも表示面４ａに表示された機能を選択可能なタッチパネル５と、タッチパネル５の液晶パネル４と反対側を覆うと共に開口部２３を塞いでカメラケース２の一部をなすように同一面を形成する表面シート６と、を備え、表面シート６の所定範囲に、外部から加えられる押圧力に対する抵抗力を高めた補強領域Ｃを設けた。【選択図】図４
2007316847.tif 000002
【特許請求の範囲】
【請求項１】
開口部を設けた装置筐体と、
前記開口部に表示面を臨ませて配置された表示パネルと、
前記表示パネルの表示面に配置されると共に押圧操作されることにより少なくとも前記表示面に表示された機能を選択可能なタッチパネルと、
前記タッチパネルの前記表示パネルと反対側を覆うと共に前記開口部を塞いで前記装置筐体と略同一面を形成する表面シートと、を備え、
前記表面シートの所定範囲に、外部から加えられる押圧力に対する抵抗力を高めた補強領域を設けたことを特徴とするタッチパネルを有する表示装置。
【請求項２】
前記補強領域は、前記表面シートと一体に形成され且つ前記開口部の周縁に沿って連続すると共に当該開口部の外縁から所定幅で形成された範囲であることを特徴とする請求項１記載のタッチパネルを有する表示装置。
【請求項３】
前記補強領域は、前記装置筐体の内部が視認できないように覆い隠す不透層として形成したことを特徴とする請求項１記載のタッチパネルを有する表示装置。
【請求項４】
前記補強領域は、前記表面シートに剛性を高める塗料を塗布して形成したことを特徴とする請求項１記載のタッチパネルを有する表示装置。
【請求項５】
前記補強領域は、前記表面シートに剛性を高める部材を貼り付けて形成したことを特徴とする請求項１記載のタッチパネルを有する表示装置。
【請求項６】
前記タッチパネルに、前記表示パネルの外縁から側方に突出する拡張部を設けると共に当該拡張部に、前記押圧操作のための入力部を設け、
前記装置筐体の内部に、前記拡張部を支持する支持部を設けたことを特徴とする請求項１記載のタッチパネルを有する表示装置。
【請求項７】
前記支持部は、前記表示パネルを支持する支持部材の一部を折り曲げることにより形成したことを特徴とする請求項６記載のタッチパネルを有する表示装置。
【発明の詳細な説明】
【技術分野】
【０００１】
本発明は、装置筐体の開口部に臨む表示パネルの表示面にタッチパネルを配置することで、表示パネルの表示面を利用して入力操作が可能なタッチパネルを有する表示装置に関するものである。
【背景技術】
【０００２】
従来の、この種のタッチパネルを有する表示装置としては、例えば、特許文献１に記載されているようなものがある。特許文献１には、タッチパネル一体型の液晶表示パネルを備えた液晶表示装置に関するものが記載されている。この特許文献１に記載された液晶表示装置は、「液晶表示パネルの表示面側に透明なタッチパネルを積層してなるものを表示窓を有するケース内に収納してなる液晶表示装置において、前記ケースにより前記タッチパネルのみを支持させ、前記液晶表示パネルの裏面を前記ケース内面と所定長だけ離隔させた」ことを特徴としている。
【０００３】
このような構成を有する特許文献１に記載の液晶表示装置によれば、「浮いた状態にある液晶表示パネルに押圧力が加わらないようにすることができ、ひいては液晶表示パネルに押圧力に起因する表示ムラが発生しないようにすることができる（段落［００１０］を参照）」という効果が期待される。
【特許文献１】特開平１０−７３８０５号公報
【０００４】
この特許文献１に記載の液晶表示装置に備えられたタッチパネルは、相対向する面にそれぞれ透明電極が設けられた２枚のフィルム基板２ａ，２ｂと、２枚のフィルム基板２ａ，２ｂ間に介在されるスペーサ２ｃを備えた、いわゆる抵抗膜式タッチパネルである。この抵抗膜式タッチパネルは、フィルム基板２ａが押圧されると、フィルム基板２ａの透明電極がフィルム基板２ｂの透明電極に接触し、これにより、押圧された位置を検出して装置に対する入力操作が行われるようになっている。このような抵抗膜式タッチパネルを備えた従来の表示装置の例を図７に示す。
【０００５】
図７に示す表示装置１００は、開口部１０１ａが設けられた装置筐体１０１と、装置筐体１０１内に収納されて開口部１０１に表示面を臨ませる表示パネル１０２と、表示パネルの表示面に配置されるタッチパネル１０３と、タッチパネル１０３と装置筐体１０１の間に介在されるシール部材１０４等から構成されている。そして、抵抗膜式であるタッチパネル１０３は、相対向する面にそれぞれ透明導電膜（特許文献１に係るタッチパネルの透明電極に相当する。）が設けられた上部基板１０３ａ及び下部基板１０３ｂと、上部基板１０３ａと下部基板１０３ｂの周縁部間に配置された枠状のクッション部材１０３ｃ等から構成されている。
【０００６】
このようなタッチパネル１０３では、クッション部材１０３ｃの周辺の領域Ｘを押圧操作すると、クッション部材１０３ｃの角部を支点にして上部基板１０３ａに大きな力が加わることになる。このとき、上部基板１０３ａに設けた透明導電膜が脆い性質であるため、押圧操作された点からクッション部材１０３ｃの角部までの距離が短い場合には、その透明導電膜が破損するおそれがある。そこで、従来の表示装置１００においては、装置筐体１０１の開口部１０１ａの周縁で領域Ｘを覆うことにより、領域Ｘを押圧操作させないようにしていた。
【０００７】
ところが、このような構成を有する表示装置では、押圧操作によって透明導電膜が破損するおそれのある領域Ｘを装置筐体１０１の開口部１０１ａの周縁で覆うことから、装置本体１０１の表面とタッチパネル１０３の表面とに段差が生じていた。そのため、装置筐体１０１とタッチパネル１０３との段差部分に塵や埃等のゴミが溜まって汚れやすく、その汚れを取る作業が煩雑になると共に、デザイン性の観点からみても外観の見栄えが悪いという問題があった。
【発明の開示】
【発明が解決しようとする課題】
【０００８】
解決しようとする問題点は、押圧操作により透明電極が破損するおそれのあるタッチパネルの周縁部を、装置筐体に設けた開口部の周縁で覆うと、装置筐体の表面とタッチパネルの表面とに段差が生じるため、その段差部分に塵や埃等のゴミが溜まって汚れてしまうと共に、装置全体の見栄えが悪い、という点である。
【課題を解決するための手段】
【０００９】
本発明のタッチパネルを有する表示装置は、開口部を設けた装置筐体と、開口部に表示面を臨ませて配置された表示パネルと、表示パネルの表示面に配置されると共に押圧操作されることにより少なくとも表示面に表示された機能を選択可能なタッチパネルと、タッチパネルの表示パネルと反対側を覆うと共に開口部を塞いで装置筐体と略同一面を形成する表面シートと、を備え、表面シートの所定範囲に、外部から加えられる押圧力に対する抵抗力を高めた補強領域を設けたことを最も主要な特徴とする。
【発明の効果】
【００１０】
本発明のタッチパネルを有する表示装置によれば、表示パネルに配置されたタッチパネルを覆うと共に装置筐体の開口部を塞いで装置筐体の一部をなす表面シートを設けることにより、タッチパネルを配置した表示パネルが臨まれる装置筐体の一面を平面にすることができる。その結果、装置筐体の一面に塵や埃等のゴミが溜まって汚れることを防止することができると共に、装置全体の見栄えを良くすることができる。しかも、表面シートに、外部から加えられる押圧力に対する抵抗力を高めた補強領域を設けたことにより、その補強領域に覆われたタッチパネルに局部的に集中応力が働くのを阻止し、タッチパネルの透明導電膜が破壊されることを防止することができる。
【発明を実施するための最良の形態】
【００１１】
表示パネルに重ね合わされたタッチパネルが臨む装置筐体の開口部を段差のない平面にして装置全体の見栄えを良くすることができると共に、タッチパネルの透明導電膜の破損を防止することができるタッチパネルを有する表示装置を、簡単な構成によって実現した。
【００１２】
図１〜図６は、本発明の実施の形態の例を説明するものである。即ち、図１は本発明のタッチパネルを有する表示装置の第１の実施の形態を示すデジタルスチルカメラを正面側から見た斜視図、図２は図１に示すデジタルスチルカメラを背面側から見た斜視図、図３は図１に示すデジタルスチルカメラからタッチパネル及び表面シート等を分解した説明図、図４は図１に示すデジタルスチルカメラを断面してタッチパネル及び表面シート等の状態を表す説明図、図５は本発明のタッチパネルを有する表示装置の第２の実施の形態を説明する説明図、図６は本発明のタッチパネルを有する表示装置の第３の実施の形態を説明する説明図である。
【００１３】
図１及び図２は、本発明のタッチパネルを有する表示装置の一具体例を示す撮像装置の第１の実施の形態として適用したデジタルスチルカメラ１である。このデジタルスチルカメラ１は、情報記録媒体として半導体記録メディアを使用し、被写体からの光学的な画像をＣＣＤ（固体撮像素子）等の撮像手段で電気的な信号に変換して、半導体記録メディアに記録したり、液晶ディスプレイ等の表示パネルに表示できるようにしたものである。
【００１４】
このデジタルスチルカメラ１は、装置筐体の一具体例を示すカメラケース２と、被写体の像を光として取り込んで撮像手段としてのＣＣＤやＣＭＯＳ等の撮像素子に導くレンズ鏡筒３と、撮像素子から出力される映像信号に基づいて画像を表示する表示パネルの一具体例を示す液晶パネル４と、液晶パネル４の表示面に配置されると共に押圧操作されることにより液晶パネル４の表示面に表示された機能を選択可能なタッチパネル５と、タッチパネル５の液晶パネル４と反対側の面を覆う表面シート６と、レンズ鏡筒１の動作や液晶パネル４の表示等を制御する制御装置と、図示しないバッテリー電源等を備えて構成されている。
【００１５】
カメラケース２は、横長とされた偏平の容器からなり、前後方向に重ね合わされたフロントケース７及びリアケース８と、このフロントケース７とリアケース８の間に介在された略長方形の枠体からなるセンタケース９等によって構成されている。このカメラケース２の内部には、レンズ鏡筒３や液晶パネル４等を駆動制御する制御装置が内蔵されている。制御装置は、例えば、所定の電気回路が印刷成形等により形成された配線基板と、この配線基板上の所定の位置に実装されたマイクロコンピュータ、抵抗やコンデンサその他の電子部品等によって構成される。
【００１６】
フロントケース７の前面の、中央より一側に少し偏倚した位置には、リング状をなす化粧リング１０が取り付けられており、その化粧リング１０の中央の穴にレンズ鏡筒３が進退可能に臨んでいる。このレンズ鏡筒３は、入れ子式に伸縮可能な構成とされていて、非撮影時にカメラケース２の内部に収納される、いわゆる沈胴式レンズである。このレンズ鏡筒３の沈胴時、対物レンズ３Ａ側のレンズ鏡筒３の前面は、フロントケース７の前面と略同一平面となるように構成されている。
【００１７】
フロントケース７のレンズ鏡筒３の斜め上部には、フラッシュ装置の発光部１２と、オートフォーカス機構の発光・受光部１３が設けられている。また、センタケース９の上面には、電源ボタン１５やシャッタボタン１６、マイクロホン等の集音装置の集音用穴１７等が設けられている。更に、センタケース９の一方の側面部には、電源であるバッテリーが着脱可能に収納されるバッテリー収納部が設けられており、そのバッテリー収納部にはバッテリー蓋１８が着脱可能に装着されている。そして、センタケース９のバッテリー蓋１８と反対側の側面部には、スピーカ装置のためのスピーカ用孔１９が設けられている。
【００１８】
リアケース８の幅方向の側部には、機能モード（例えば、静止画、動画、再生等）を選択するモード切換スイッチ２１が設けられている。また、図３及び図４に示すように、リアケース８には、カメラケース２の背面の略全体を開口するように開口部２３が設けられている。この開口部２３に臨むカメラケース２の内部には、液晶パネル４を有する液晶パネル組立体３１と、この液晶パネル組立体３１の背面に配置されるバックライト組立体４１と、このバックライト組立体４１と液晶パネル組立体３１を支持する支持部材５１と、液晶パネル４の表示面４ａに配置されて重ね合わされるタッチパネル５等が設けられている。そして、タッチパネル５の液晶パネル４と反対側の面には、そのタッチパネル５を覆うと共に開口部２３を塞ぐ表面シート６が設けられている。
【００１９】
液晶パネル組立体３１は、液晶パネル４と、この液晶パネル４を保持するパネルフレーム３２等から構成されている。液晶パネル４は、横長矩形の平板状をなしており、リアケース８の開口部２３側から順に上偏光板３３、上ガラス板３４、液晶層３５、下ガラス板３６、下偏光板３７が積層されて形成されている。液晶パネル４の上偏光板３３及び下偏光板３７は、透過する光の振動を１つの方向に揃えて光量を調節するものである。これら上下の偏光板３３，３７は、上下のガラス板３４，３６よりも小さく設定されていて、パネルフレーム３２の後述する開口部３８ａ，３９ａにそれぞれ貫通される。そして、上偏光板３３の表面が液晶パネル４の表示面４ａとなっている。
【００２０】
パネルフレーム３２は、別部材として個別に形成されたアウターフレーム３８と、このアウターフレーム３８よりやや小さく形成されたインナーフレーム３９との組み合わせからなっている。即ち、アウターフレーム３８及びインナーフレーム３９は、それぞれ液晶パネル４の上下の偏光板３３，３７に見合う大きさの長方形の開口部３８ａ，３９ａを有する長方形の枠体からなり、アウターフレーム３８の内側縁とインナーフレーム３９の外側縁とを重ね合わせることにより、パネルフレーム３２が一体的に構成されている。
【００２１】
アウターフレーム３８の短辺側の両内側縁には、図示しない係合凸部がそれぞれ設けられており、インナーフレーム３９の短辺側の両外側縁には、アウターフレーム３８の係合凸部に係合される図示しない係合凹部がそれぞれ設けられている。これら係合凸部と係合凹部は、アウターフレーム３８の内側縁とインナーフレーム３９の外側縁とを重ね合わせた際にそれぞれ係合され、これにより、アウターフレーム３８とインナーフレーム３９が確実に固定されて一体的に構成されるようになっている。
【００２２】
図３に示すように、アウターフレーム３８の長辺側の一側面には、下方に開口された切欠き３８ｂが設けられている。また、アウターフレーム３８の一側面に対向するインナーフレーム３９の一側面には、アウターフレーム３８の切欠き３８ｂに対応して上方に開口する切欠き３９ｂが設けられている。これら切欠き３８ｂ，３９ｂにより、アウターフレーム３８とインナーフレーム３９とを一体的に組み立てたパネルフレーム３２の側面に貫通穴が形成されている。そして、パネルフレーム３２の貫通穴には、液晶パネル４に接続されるフレキシブル配線板２５ａが貫通される。
【００２３】
本実施の形態では、アウターフレーム３８の内側縁に係合凸部を設け、インナーフレーム３９の外側縁に係合凹部を設ける構成としたが、これとは逆に、アウターフレーム３８の内側縁に係合凹部を設け、インナーフレーム３９の外側縁に係合凸部を設ける構成とすることができることは勿論である。また、パネルフレーム３２は、アウターフレーム３８とインナーフレーム３９とを複数個の固定ねじや接着剤等の固着手段によって固定することで一体的に構成することもできる。
【００２４】
バックライト組立体４１は、バックライト本体４２と、このバックライト本体４２を保持するライトフレーム４３等から構成されている。バックライト本体４２は、液晶パネル４に光を供給する光源手段であり、液晶パネル４と略同等の大きさの平板状をなしている。このバックライト本体４２としては、例えば、光源に白色ＬＥＤ（Light Emitting Diode）を用いた、いわゆるＬＥＤバックライトや、光源にＥＬ（Electroluminescence）発光体を用いた、いわゆるＥＬバックライト等を挙げることができる。
【００２５】
ライトフレーム４３は、パネルフレーム３２と同様に、別部材として個別に形成されたアウターフレーム４５と、このアウターフレーム４５よりやや小さく形成されたインナーフレーム４６との組み合わせからなり、その大きさは、パネルフレーム３２と略同等に設定されている。ライトフレーム４３のアウターフレーム４５は、バックライト本体４２を露出するための開口部４５ａを有する長方形の枠体をなしおり、インナーフレーム４６は、上面側が開口された筐体をなしている。そして、アウターフレーム４５の内側縁とインナーフレーム４６の側面とを重ね合わせることにより、ライトフレーム４３が一体的に構成されている。
【００２６】
アウターフレーム４５の短辺側の両内側縁には、パネルフレーム３２のアウターフレーム３８と同様に、図示しない係合凸部がそれぞれ設けられている。そして、インナーフレーム４６短辺側の両外側縁には、パネルフレーム３２のインナーフレーム３９と同様に、アウターフレーム４５の係合凸部に係合される図示しない係合凹部がそれぞれ設けられている。これら係合凸部と係合凹部は、アウターフレーム４５の内側縁とインナーフレーム４６外側縁とを重ね合わせた際にそれぞれ係合され、これにより、アウターフレーム４５とインナーフレーム４６が確実に固定され、一体的に構成されるようになっている。
【００２７】
更に、アウターフレーム４５の短辺側の一側面には、下方に開口された切欠き４５ｂが設けられている。また、図には表れないが、アウターフレーム４５の一側面に対向するインナーフレーム４６の一側面には、アウターフレーム４５の切欠き４５ｂに対応して下方に開口する切欠きが設けられている。このインナーフレーム４６の切欠きとアウターフレーム４５の切欠き４５ｂにより、ライトフレーム４３の側面に貫通穴が形成されるようになっている。このライトフレーム４３の貫通穴には、バックライト本体４２に接続されるフレキシブル配線板２５ｂが貫通される。
【００２８】
液晶パネル組立体３１とバックライト組立体４１は、液晶パネル組立体３１の背面側にバックライト組立体４１が積層された状態で支持部材５１に支持されている。支持部材５１は、積層された液晶パネル組立体３１とバックライト組立体４１が載置される略長方形のベース板５２と、このベース板５２の３辺に連続して略垂直に延在される複数の保持片５３と、ベース板５２の残りの一辺に連続してタッチパネル５の後述する拡張部５ａを支持する支持部５４等から構成されている。
【００２９】
支持部材５１のベース板５２は、液晶パネル組立体３１及びバックライト組立体４１に見合った大きさに設定されている。そして、このベース板５２がセンタケース９の図示しない固定部に固定ねじ等の固着手段によって取り付けられることにより、支持部材５１がカメラケース２の内部に固定されている。
【００３０】
支持部材５１の複数の保持片５３は、本実施の形態では５つ設けられており、ベース板５２の２つの長辺のそれぞれの中間部に適当な間隔をあけて２つと、一方の短辺の中間部に１つ配置されている。これら５つの保持片５３は、液晶パネル組立体３１及びバックライト組立体４１の側方を挟んで保持するものであり、その長さは両組立体３１、４１が積層された高さと等しくなるように設定されている。
【００３１】
支持部材５１の支持部５４は、保持片５３を設けた一方の短辺と反対側の他方の短辺に連続して略垂直に延在される立上り片５６と、この立上り片５６に連続してベース板５２と平行な方向に展開されると共にタッチパネル５の拡張部５ａが載置される展開片５７からなっている。図示しないが、支持部５４の立上り片５６には、バックライト本体４２に接続されるフレキシブル配線板２８ｂを挿通させるための挿通穴が設けられている。支持部５４の展開片５７は、タッチパネル５の拡張部５ａに見合った大きさの略長方形をなしており、その上面は、支持部材５１に支持された液晶パネル組立体３１の上面、即ち、液晶パネル４の表示面４ａと同じ高さになるように設定されている。
【００３２】
タッチパネル５は、横長矩形の平板状をなしており、図４に示すように、上部フィルム部材６１と、この上部フィルム部材６１に対向される下部フィルム部材６２と、両フィルム部材６１，６２の互いに対向する面にそれぞれ配置された上部透明導電膜６３及び下部透明導電膜６４と、両フィルム部材６１，６２間に介在されるクッション部材６５と、押圧（タッチ）操作を行っていないときの上部透明導電膜６３と下部透明導電膜６４とのショートを防止するドットスペーサ６６と、上部フィルム部材６１の下部フィルム部材６２と反対側に配置された偏光板６７等を備えて構成されている。
【００３３】
上部フィルム部材６１及び下部フィルム部材６２の材質としては、ポリエチレンテレフタレート（ＰＥＴ）を挙げることができるが、これに限定されるものではなく、ポリカーボネート（ＰＣ）、ポリエーテルスルホン（ＰＥＳ）、非晶ポリアリレート（ＰＡＲ）等この種のフィルム部材に使用される各種の材料を用いることができることは勿論である。また、上部透明導電膜６３及び下部透明導電膜６４は、光と電気を通す事が可能な部材であり、本実施の形態では、この種のタッチパネルに一般的に用いられる酸化インジウムスズ（ＩＴＯ）を適用している。
【００３４】
クッション部材６５の上下面は、接着剤、粘着シート等の接着手段により、上部フィルム部材６１と下部フィルム部材６２とに貼り付けられており、これにより、上下のフィルム部材６１，６２間に微小な隙間が形成されている。このクッション部材６５の材質としては、ゴム等の絶縁性を有する弾性体が好適であるが、この種のクッション部材に適用される軟質プラスチックその他各種の材質を用いることができることは勿論である。
【００３５】
このようなタッチパネル５のクッション部材６５よりも内側の所定の範囲内で押圧（タッチ）操作を行うと、クッション部材６５の内側の角部を支点にして上部フィルム部材６１に大きな力が加わることになる。そして、上部フィルム部材６１に配置した脆い性質の上部透明導電膜６３が破損するおそれがある。即ち、タッチパネル５は、図４に示すように、押圧されると上部透明導電膜６３が破損するおそれのある導電膜破損発生領域Ａを有している。この導電膜破損発生領域Ａは、表面シート６の後述する補強領域Ｃによって覆われる。
【００３６】
図３に示すように、タッチパネル５は、液晶パネル組立体３１よりも長辺が長く設定されており、これにより、一方の短辺側が液晶パネル組立体３１の外縁から外側に突出する拡張部５ａとなっている。そして、タッチパネル５の拡張部５ａには、複数の入力部が設けられている。これら複数の入力部は、タッチパネル機能を利用したスイッチ機構であり、押圧操作されることによりデジタルスチルカメラ１に対する各種の入力が実行されるようになっている。
【００３７】
拡張部５ａの複数の入力部としては、ズーム操作を実行するズーム入力部６８ａ、各種メニューを選択するメニュー入力部６８ｂ、画面表示を切り替える表示切換入力部６８ｃが設けられている。これら入力部６８ａ〜６８ｃには、表面シート６の後述する入力部操作領域Ｄが対向される。また、複数の入力部のその他の例としては、メニューを選択するカーソル等を移動させる方向操作入力部、画面サイズに切り替えや画面削除を行う画面操作入力部等を挙げることができる。
【００３８】
図４に示すように、タッチパネル５は、液晶パネル４の表示面４ａと支持部材５１の展開片５７とに接着剤６９によって接着固定されている。この接着剤６９は、少なくともタッチパネル５と液晶パネル４の表示面４ａとの間に液密に充填されており、タッチパネル５と液晶パネル４の表示面４ａとの間に空気の層を介在しないようにして光学的な界面反射の増加を防止している。
【００３９】
図３等に示すように、表面シート６は、リアケース８の開口部２３に見合った大きさに設定された横長矩形の平板状をなしており、開口部２３を塞ぐと共にリアケース８と略同一面を形成するようになっている。この表面シート６は、タッチパネル５に対して押圧操作ができる程度に撓み変形可能である透明な合成樹脂によって形成されている。この表面シート６としては、厚みを０．２ｍｍ〜０．５ｍｍ程度に設定したアクリル樹脂が好適であるが、ポリカーボネート等その他の合成樹脂を、タッチパネル５に対して押圧操作ができる程度に撓み変形可能な厚みに設定して用いることができるものである。
【００４０】
この表面シート６には、タッチパネル５を介して液晶パネル４の表示面４ａに対向される表示面操作領域Ｂと、表面シート６の外縁から表示面操作領域Ｂに至る範囲の略全域に形成されてタッチパネル５の導電膜破損発生領域Ａを覆う補強領域Ｃと、タッチパネル５の各入力部６８ａ〜６８ｃに対向される入力部操作領域Ｄとが設けられている。
【００４１】
表面シート６の表示面操作領域Ｂは、使用されている透明な合成樹脂そのままの領域であって、タッチパネル５を介して液晶パネル４の表示面４ａが視認可能であると共に、タッチパネル５に対して押圧操作ができる程度に撓み変形可能となっている。この表示面操作領域Ｂは、液晶パネル４の表示面４ａよりも少々、例えば、表示面４ａの周縁から外側に０．３ｍｍ程度大きくしてもよい。ここで言及した０．３ｍｍの意味は、次のようなものである。
【００４２】
これは、表面シート６の表示面操作領域Ｂの外側に広がる不透明な領域（補強領域Ｃ）が、液晶パネル４の表示面４ａを覆い隠さないようにするための寸法設定である。このオフセット量により、表面シート６における表示面操作領域Ｂの寸法公差、液晶パネル４における表示面４ａの寸法公差、表面シート６及び液晶パネル４の貼り合せ公差等を吸収して、補強領域Ｃで表示面４ａを覆い隠さないようにすることできる。また、液晶パネル４の表示面４ａの外側には、黒のみを表示する領域とされた、いわゆるブラックマスクが設けられている。そのため、上述したような貼り合せ公差による貼りずれによって、表面シート６の透明領域である表示面操作領域Ｂの額縁付近に、表示面４ａの外側の領域が位置しても、その領域は、ブラックマスクによって真っ黒に見える。これにより、カメラケース２の内部が、表示面操作領域Ｂの額縁付近から見えないようになっている。
【００４３】
補強領域Ｃは、表面シート６のタッチパネル５に対向する面に塗装の一具体例を示すシルク印刷７１を施すことによって形成されている。そのため、補強領域Ｃは、人が認識できる光を透過させない不透明層となり、この補強領域Ｃを介してカメラケース２の内部を透かし見ることができないようになっている。これにより、補強領域Ｃは、タッチパネル５の導電膜破損発生領域Ａを覆うと共に表示面操作領域Ｂとの境界線を明確にしている。
【００４４】
シルク印刷７１の塗料には、剛性を高める塗料が用いられている。これは、補強領域Ｃの剛性をその他の領域の剛性よりも高くして、外部から加えられる押圧力に対する補強領域Ｃの抵抗力を高めるためである。即ち、補強領域Ｃは、その下のタッチパネル５が押圧操作される程度に撓まないようになっている。これにより、補強領域Ｃに押圧力が加えられても、導電膜破損発生領域Ａの上部透明導電膜６３が破損することを確実に防止することができる。なお、剛性を高める塗料としては、剛性の高い樹脂塗料（例えば、金属を含有させた樹脂塗料）を挙げることができるが、これに限定されるものではなく、アルミニウム、銀等を用いてもよい。また、塗料の色をカメラケース２と同様の色にして、補強領域Ｃをカメラケース２の一部であるように見せてもよい。
【００４５】
本実施の形態では、表面シート６に剛性を高める塗料を塗布して補強領域Ｃを形成したが、本発明に係る補強領域Ｃとしては、上述したようにして形成することに限定されるものではない。例えば、表面シート６に、金属箔、硬化プラスチック等の剛性の高い部材を貼り付けたり、メッキ加工を施したりして補強領域Ｃを形成してもよい。
【００４６】
入力部操作領域Ｄは、タッチパネル５の拡張部５ａに設けたズーム入力部６８ａに対向するズーム入力部操作領域Ｄ１と、メニュー入力部６８ｂに対向するメニュー入力部操作領域Ｄ２と、表示切換入力部６８ｃに対向する表示切換入力部操作領域Ｄ３とからなっている。各入力部操作領域Ｄ１〜Ｄ３は、表示面操作領域Ｂと同様に、透明な合成樹脂そのままの領域であって、タッチパネル５の各入力部６８ａ〜６８ｃに対して押圧操作ができる程度に撓み変形可能となっている。
【００４７】
この表面シート６の各入力部操作領域Ｄ１〜Ｄ３と、タッチパネル５の拡張部５ａに設けた各入力部６８ａ〜６８ｃとにより、メニュー操作スイッチ、表示切換スイッチ等の各種の操作スイッチが構成されている。これらの操作スイッチは、一般的に用いられている機械的なタクトスイッチの変わりに設けたものであり、タクトスイッチを設ける場合よりも部品点数を削減することができる。更に、カメラケース２の液晶パネル４が配置された面を、その全面に亘って一平面とすることができ、これにより、デジタルスチルカメラ１全体の見栄えを良くすることができる。
【００４８】
また、各入力部操作領域Ｄ１〜Ｄ３及び各入力部６８ａ〜６８ｃによって各種の操作スイッチが構成されていることを認識させるため、各入力部操作領域Ｄ１〜Ｄ３のタッチパネル５に対向する面に、印字による標示を設けたり、或いは補強領域Ｃとは異なる色の塗装を施して識別させるようにすることが好ましい。この場合の印字や塗装としては、例えば、ホットスタンプや補強領域Ｃの場合と同様のシルク印刷を挙げることができる。なお、各入力部操作領域Ｄ１〜Ｄ３に施す塗装の塗料としては、剛性の低いものを使用し、各入力部操作領域Ｄ１〜Ｄ３を各入力部６８ａ〜６８ｃに対して押圧操作ができる程度に撓み変形可能に設定する。
【００４９】
図４に示すように、表面シート６は、リアケース８の開口部２３の周面に設けたシート固定部２３ａと、タッチパネル５の液晶パネル４と反対側の面とに接着剤７２によって固定されている。この接着剤７２は、少なくとも表面シート６とタッチパネル５との間に液密に充填されており、表面シート６とタッチパネル５との間に空気の層を介在しないようにして光学的な界面反射の増加を防止している。
【００５０】
このような構成を有するデジタルスチルカメラ１によれば、例えば、次のようにして撮影を行うことができる。まず、電源ボタン１５を押してデジタルスチルカメラ１の電源をオンにする。次に、モード切換スイッチ２１により静止画モードを選択する。次に、メニュー入力部６８ｂとメニュー入力部操作領域Ｄ２により構成されたメニュー操作スイッチを押す。これにより、液晶パネル４の表示面４ａにシャッタスピード、絞り、露出等の設定を行う選択メニューが表示される。
【００５１】
続いて、液晶パネル４の表示面４ａに表示された選択メニューを押圧して、シャッタスピード、絞り、露出等の設定を行う。即ち、液晶パネル４の表示面４ａに対向した表面シート６の表示面操作領域Ｂを押圧して、液晶パネル４の表示面４ａに重ね合わされたタッチパネル５に対する押圧操作を行い、シャッタスピード等の設定を入力する。
【００５２】
この際、表面シート６の表示面操作領域Ｂは、タッチパネル５に対して押圧操作ができる程度に撓み変形可能となっているため、タッチパネル５を確実に押圧操作することができ、シャッタスピード等の設定を入力することができる。また、表示パネル６の補強領域Ｃは、シルク印刷７１を施すことにより外部から加えられる押圧力に対する抵抗力が高められているため、その下のタッチパネル５が押圧操作される程度に撓むことがない。これにより、補強領域Ｃに覆われた導電膜破損発生領域Ａに集中応力が働くのを阻止することができ、タッチパネル５の上部透明導電膜６３が破損する心配がない。
【００５３】
シャッタスピード等の設定を終えると、液晶パネル４の表示面４ａには、レンズ鏡筒３によって取り込まれた被写体の像が表示される。その後、シャッタボタンを押すことにより、静止画が撮影される。
【００５４】
図５は、本発明のタッチパネルを有する表示装置の第２の実施の形態を説明する説明図である。この第２の実施の形態は、支持部材をリアケースと一体に構成したもので、この第２の実施の形態が第１の実施の形態と異なるところは、支持部材８１のみである。そのため、ここでは、支持部材８１のみを説明し、第１の実施の形態と共通する部分には同一の符号を付して重複した説明を省略する。
【００５５】
支持部材８１は、第１の実施の形態の支持部材５１と同様に、ベース板８２と、複数の保持片８３と、支持部８４等を備えている。そして、複数の保持片８３のベース板８２と反対側の端部と、支持部８４のベース板８２と反対側の端部とが、それぞれリアケース８５のシート固定部８５ａに連続されている。この場合、支持部材８１をセンタケース９に固定する作業を省くことができ、作業工数を削減することができる。
【００５６】
図６は、本発明のタッチパネルを有する表示装置の第３の実施の形態を説明する説明図である。この第２の実施の形態のデジタルスチルカメラ９０は、周縁部を隆起させた形状の表面シートによってリアケースの開口部を塞ぐ構成としたもので、この第３の実施の形態が第１の実施の形態と異なるところは、表面シート９１及びリアケース９２の形状である。そのため、ここでは、表面シート９１及びリアケース９２のみを説明し、第１の実施の形態と共通する部分には同一の符号を付して重複した説明を省略する。
【００５７】
図６に示すように、表面シート９１は、周縁部を隆起させた器状に形成されている。この表面シート９１が取り付けられるリアケース９２には、側面にシート固定部９２ａが設けられている。そして、表面シート９１は、リアケース９２のシート固定部９２ａと、タッチパネル５に接着剤７２によって固定されている。このように、リアケース９１の側面で表面シート９１を固定する構成とすることにより、デジタルスチルカメラ９０の開口部２３を設けた面において、リアケース９１と表面シート９２との繋ぎ目を見えなくすることができ、外観の見栄えを一層良くすることができる。
【００５８】
上述した第１〜第３の実施の形態では、表示パネルの一具体例として液晶パネル４を用いる構成としたが、本発明に係る表示パネルとしては、これに限定されるものではなく、有機ＥＬパネル等を用いることができるものである。なお、有機ＥＬパネルを用いる場合は、液晶パネル４の背面に配置したバックライト組立体４１が不要になる。
【００５９】
また、上述した第１〜第３の実施の形態では、タッチパネル５の各入力部６８ａ〜６８ｃ及び表面シート６の各入力部操作領域Ｄ１〜Ｄ３により各種の操作スイッチを構成することで、それら各種の操作スイッチを液晶パネル４の表示面４ａ以外の領域に設けたが、液晶パネル４の表示面４ａに重なる領域に各種の操作スイッチを設けてもよい。この場合、液晶パネル４の表示面４ａに対向するタッチパネル５の適当な位置、例えば、表示面４ａの周縁部に対向する位置に各入力部６８ａ〜６８ｃを設けると共に、表面シート６の表示面操作領域Ｂに各入力部６８ａ〜６８ｃの位置が判るような印字等を設ける。これにより、液晶パネル４の大型化を図ることができ、その表示面４ａを拡大させることができる。
【００６０】
以上説明したように、本発明のタッチパネルを有する表示装置の一具体例を示す撮像装置によれば、タッチパネルが配置された表示パネルを臨ませる装置筐体の一面を平面にすることができ、装置全体の見栄えを良くすることができると共に、装置筐体の一面に塵や埃等のゴミ等が溜まって汚れることを防止することができる。しかも、表面シートに補強領域を設けたことにより、押圧操作の際に、タッチパネルに局部的に集中応力が働くのを阻止し、そのタッチパネルの透明導電膜が破損することを防止することができる。
【００６１】
更に、タッチパネルに表示パネルの周縁より外側へ突出する拡張部を設けると共に、その拡張部に各種の入力部を設け、押圧（タッチ）操作することにより各種の入力が実行される操作スイッチを構成したため、表示パネルが臨む装置筐体の面を、その全面に亘って一平面とすることができ、装置全体の見栄えを極めて良くすることができる。また、タッチパネルの拡張部を支持する支持部を設けたため、拡張部の自重、或いは拡張部に加わる押圧力によってタッチパネルが撓むことがなく、その拡張部に設けたスイッチ機構を確実に動作させることができる。
【００６２】
本発明は、前述しかつ図面に示した実施の形態に限定されるものではなく、その要旨を逸脱しない範囲内で種々の変形実施が可能である。例えば、前記実施の形態においては、タッチパネルを有する表示装置として撮像装置の一具体例を示すデジタルスチルカメラを適用した例について説明したが、デジタルビデオカメラ、カメラ付きパーソナルコンピュータ等の撮像装置は勿論のこと、ディスク記録再生装置、携帯電話機、電子辞書、携帯ゲーム機、携帯端末装置その他各種のタッチパネルを有する表示装置に適用できるものである。
【図面の簡単な説明】
【００６３】
【図１】本発明のタッチパネルを有する表示装置の第１の実施の形態を示すデジタルスチルカメラ（撮像装置）を正面側から見た斜視図である。
【図２】本発明のタッチパネルを有する表示装置の第１の実施の形態を示すデジタルスチルカメラ（撮像装置）を背面側から見た斜視図である。
【図３】デジタルスチルカメラからタッチパネル及び表面シート等を分解した説明図である。
【図４】図１に示すデジタルスチルカメラを断面してタッチパネル及び表面シート等の状態を表す説明図である。
【図５】本発明のタッチパネルを有する表示装置の第２の実施の形態を示すデジタルスチルカメラ（撮像装置）を説明する説明図である。
【図６】本発明のタッチパネルを有する表示装置の第３の実施の形態を示すデジタルスチルカメラ（撮像装置）を説明する説明図である。
【図７】従来のタッチパネルを有する表示装置を示す説明図である。
【符号の説明】
【００６４】
１…デジタルスチルカメラ（タッチパネルを有する表示装置）、  ２…カメラケース（装置本体）、  ３…レンズ鏡筒、  ４…液晶パネル（表示パネル）、  ５…タッチパネル、  ６…表面シート、  ７…フロントケース、  ８…リアケース、  ９…センタケース、  ２３…開口部、  ３１…液晶パネル組立体、  ３２…パネルフレーム、  ４１…バックライト組立体、  ４２…バックライト本体、  ４３…ライトフレーム、  ５１…支持部材、  ５２…ベース板、  ５３…保持片、  ５４…支持部、  ５６…立上り片、  ５７…展開片、  ６１…上部フィルム部材、  ６２…下部フィルム部材、  ６３…上部透明導電膜、  ６４…下部透明導電膜、  ６５…クッション部材、  ６６…ドットスペーサ、  ６７…偏光板、  ６８ａ…ズーム入力部、  ６８ｂ…メニュー入力部、  ６８ｃ…表示切替入力部、  ６９，７１…接着剤、  Ａ…導電膜破損発生領域、  Ｂ…表示面操作領域、  Ｃ…補強領域、  Ｄ…入力部操作領域
【図１】
2007316847.tif 000003
【図２】
2007316847.tif 000004
【図３】
2007316847.tif 000005
【図４】
2007316847.tif 000006
【図５】
2007316847.tif 000007
【図６】
2007316847.tif 000008
【図７】
2007316847.tif 000009
【手続補正書】
【提出日】平成19年6月13日(2007.6.13)
【手続補正１】
【補正対象書類名】明細書
【補正対象項目名】０００５
【補正方法】変更
【補正の内容】
【０００５】
図７に示す表示装置１００は、開口部１０１ａが設けられた装置筐体１０１と、装置筐体１０１内に収納されて開口部１０１ａに表示面を臨ませる表示パネル１０２と、表示パネルの表示面に配置されるタッチパネル１０３と、タッチパネル１０３と装置筐体１０１の間に介在されるシール部材１０４等から構成されている。そして、抵抗膜式であるタッチパネル１０３は、相対向する面にそれぞれ透明導電膜（特許文献１に係るタッチパネルの透明電極に相当する。）が設けられた上部基板１０３ａ及び下部基板１０３ｂと、上部基板１０３ａと下部基板１０３ｂの周縁部間に配置された枠状のクッション部材１０３ｃ等から構成されている。
【手続補正２】
【補正対象書類名】明細書
【補正対象項目名】００１４
【補正方法】変更
【補正の内容】
【００１４】
このデジタルスチルカメラ１は、装置筐体の一具体例を示すカメラケース２と、被写体の像を光として取り込んで撮像手段としてのＣＣＤやＣＭＯＳ等の撮像素子に導くレンズ鏡筒３と、撮像素子から出力される映像信号に基づいて画像を表示する表示パネルの一具体例を示す液晶パネル４と、液晶パネル４の表示面に配置されると共に押圧操作されることにより液晶パネル４の表示面に表示された機能を選択可能なタッチパネル５と、タッチパネル５の液晶パネル４と反対側の面を覆う表面シート６と、レンズ鏡筒３の動作や液晶パネル４の表示等を制御する制御装置と、図示しないバッテリー電源等を備えて構成されている。
【手続補正３】
【補正対象書類名】明細書
【補正対象項目名】００２７
【補正方法】変更
【補正の内容】
【００２７】
更に、アウターフレーム４５の短辺側の一側面には、下方に開口された切欠き４５ｂが設けられている。また、図には表れないが、アウターフレーム４５の一側面に対向するインナーフレーム４６の一側面には、アウターフレーム４５の切欠き４５ｂに対応して上方に開口する切欠きが設けられている。このインナーフレーム４６の切欠きとアウターフレーム４５の切欠き４５ｂにより、ライトフレーム４３の側面に貫通穴が形成されるようになっている。このライトフレーム４３の貫通穴には、バックライト本体４２に接続されるフレキシブル配線板２５ｂが貫通される。
【手続補正４】
【補正対象書類名】明細書
【補正対象項目名】００５７
【補正方法】変更
【補正の内容】
【００５７】
図６に示すように、表面シート９１は、周縁部を隆起させた器状に形成されている。この表面シート９１が取り付けられるリアケース９２には、側面にシート固定部９２ａが設けられている。そして、表面シート９１は、リアケース９２のシート固定部９２ａと、タッチパネル５に接着剤７２によって固定されている。このように、リアケース９２の側面で表面シート９１を固定する構成とすることにより、デジタルスチルカメラ９０の開口部２３を設けた面において、リアケース９２と表面シート９１との繋ぎ目を見えなくすることができ、外観の見栄えを一層良くすることができる。